(57)【特許請求の範囲】
【請求項１】
モーションセンサデータを使用することによって全帯域スキャンを実行するかどうかを決定する方法であって、
前記全帯域スキャンが最後に実行されてからユーザ機器（ＵＥ）が静止していたかどうかを、前記モーションセンサデータから判定することと、
前記ＵＥが静止していた場合に、前記ＵＥがスキップ閾値よりも多い回数、全帯域スキャンをスキップしたかどうかを判定することと、
前記ＵＥが前記スキップ閾値よりも多い回数、全帯域スキャンをスキップしていた場合に、前記ＵＥを用いて全帯域スキャンを実行することと、
前記ＵＥが前記スキップ閾値よりも多い回数、全帯域スキャンをスキップしていなかった場合に、部分帯域スキャンを実行するまたはスキャンを実行しないこととを備える方法。
【請求項２】
前記部分帯域スキャンが前記ＵＥによって最も頻繁に使用されるチャネルのみにわたるスキャンである、請求項１に記載の方法。
【請求項３】
前記全帯域スキャンまたは前記部分帯域スキャンのいずれかの間に見出された少なくとも１つの利用可能なパブリックランドモバイルネットワーク（ＰＬＭＮ）を非アクセス階層（ＮＡＳ）層に報告することをさらに備える、請求項１に記載の方法。
【請求項４】
前記少なくとも１つのＰＬＭＮが高優先パブリックランドモバイルネットワーク（ＨＰＬＭＮ）である、請求項３に記載の方法。
【請求項５】
前記ＵＥがビジターパブリックランドモバイルネットワーク（ビジターＰＬＭＮ）にキャンプオンされているかどうかを判定することと、前記ＵＥがキャンプオンされている場合に、前記ＵＥが静止していたかどうかを判定することと、をさらに備える、請求項４に記載の方法。
【請求項６】
前記ＵＥがキャンプオンされている場合に、高優先パブリックランドモバイルネットワークタイマ（ＨＰＬＭＮタイマ）が満了しているかどうかを判定することと、前記タイマが満了している場合に、前記ＵＥが静止していたかどうかを判定することと、をさらに備える、請求項５に記載の方法。
【請求項７】
前記ＵＥが静止していない場合、もしくは、前記ＵＥがスキップしていた場合に、前記ＵＥに全サービスを提供するパブリックランドモバイルネットワーク（ＰＬＭＮ）にキャンプオンすることをさらに備える、請求項１に記載の方法。
【請求項８】
前記全帯域スキャンを実行した場合、あるいは、前記部分帯域スキャンを実行した場合に、全サービスを提供する前記ＰＬＭＮを非アクセス階層（ＮＡＳ）層に報告することをさらに備える、請求項７に記載の方法。
【請求項９】
前記ＵＥがスキップしていなかった場合に、限定されたサービスを提供するセルにキャンプオンし続けることをさらに備える、請求項１に記載の方法。
【請求項１０】
前記スキャンを実行しない場合に、全サービスを提供するパブリックランドモバイルネットワーク（ＰＬＭＮ）が見出されなかったことを非アクセス階層（ＮＡＳ）層に報告することをさらに備える、請求項９に記載の方法。
【請求項１１】
前記全帯域スキャンを実行した場合、あるいは、前記部分帯域スキャンを実行した場合に、全サービスを提供する少なくとも１つのパブリックランドモバイルネットワーク（ＰＬＭＮ）が見出されたことを非アクセス階層（ＮＡＳ）層に報告することをさらに備える、請求項１に記載の方法。
【請求項１２】
前記ＵＥが前記ＵＥに対する限定されたサービスを提供するセルにキャンプオンされているかどうかを判定することと、前記ＵＥがキャンプオンされている場合に、前記ＵＥが静止していたかどうかを判定することと、をさらに備える、請求項１に記載の方法。
【請求項１３】
前記ＵＥがキャンプオンされている場合に、全サービスタイマが満了しているかどうかを判定することと、前記タイマが満了している場合に、前記ＵＥが静止していたかどうかを判定することと、をさらに備える、請求項１２に記載の方法。
【請求項１４】
前記スキャンを実行しない場合に、サービスが見出されなかったことを報告することをさらに備える、請求項１に記載の方法。
【請求項１５】
前記報告することが非アクセス階層（ＮＡＳ）層に対するものである、請求項１４に記載の方法。
【請求項１６】
前記ＵＥが圏外であるかどうかを判定することと、前記ＵＥが圏外である場合に、前記ＵＥが静止していたかどうかを判定することと、をさらに備える、請求項１に記載の方法。
【請求項１７】
プロセッサと、
全帯域スキャンが最後に実行されてからユーザ機器（ＵＥ）が静止していたかどうかを判定することと、
前記ＵＥが静止していた場合に、前記ＵＥがスキップ閾値よりも多い回数、全帯域スキャンをスキップしたかどうかを判定することと、
前記ＵＥが前記スキップ閾値よりも多い回数、全帯域スキャンをスキップしていた場合に、前記ＵＥを用いて全帯域スキャンを実行することと、
前記ＵＥが前記スキップ閾値よりも多い回数、全帯域スキャンをスキップしていなかった場合に、部分帯域スキャンを実行するまたはスキャンを実行しないこととを実行するために前記プロセッサによって実行可能なプログラムコードを含む、
メモリと、
を備えるユーザ機器。
【請求項１８】
前記メモリが、前記全帯域スキャンまたは前記部分帯域スキャンのいずれかの間に少なくとも１つの利用可能なパブリックランドモバイルネットワーク（ＰＬＭＮ）が見出されたことを非アクセス階層（ＮＡＳ）層に報告するためのプログラムコードをさらに備える、請求項１７に記載のユーザ機器。
【請求項１９】
前記メモリが、前記ＵＥが静止していない場合、もしくは、前記ＵＥがスキップしていた場合に、全サービスを前記ＵＥに提供するパブリックランドモバイルネットワーク（ＰＬＭＮ）にキャンプオンするためのプログラムコードをさらに備える、請求項１７に記載のユーザ機器。
【請求項２０】
前記メモリが、前記全帯域スキャンを実行した場合、あるいは、前記部分帯域スキャンを実行した場合に、全サービスを提供する前記パブリックランドモバイルネットワーク（ＰＬＭＮ）を非アクセス階層（ＮＡＳ）層に報告するためのプログラムコードをさらに備える、請求項１９に記載のユーザ機器。
【請求項２１】
前記メモリが、前記ＵＥがスキップしていなかった場合に、限定されたサービスを提供するセルにキャンプオンし続けるためのプログラムコードをさらに備える、請求項１７に記載のユーザ機器。
【請求項２２】
前記メモリが、前記ＵＥがキャンプオンされ続ける場合に、全サービスを提供するパブリックランドモバイルネットワーク（ＰＬＭＮ）が見出されなかったことを非アクセス階層（ＮＡＳ）層に報告するためのプログラムコードをさらに備える、請求項２１に記載のユーザ機器。
【請求項２３】
前記メモリが、前記ＵＥがビジターパブリックランドモバイルネットワーク（ビジターＰＬＭＮ）にキャンプオンされているかどうかを判定し、前記ＵＥがキャンプオンされている場合に、前記ＵＥが静止していたかどうかを判定するためのプログラムコードをさらに備える、請求項１７に記載のユーザ機器。
【請求項２４】
前記メモリが、前記ＵＥが前記ＵＥに対する限定されたサービスを提供するセルにキャンプオンされているかどうかを判定し、前記ＵＥがキャンプオンされている場合に、前記ＵＥが静止していたかどうかを判定するためのプログラムコードをさらに備える、請求項１７に記載のユーザ機器。
【請求項２５】
前記メモリが、前記ＵＥが圏外であるかどうかを判定し、前記ＵＥが圏外である場合に、前記ＵＥが静止していたかどうかを判定するためのプログラムコードをさらに備える、請求項１７に記載のユーザ機器。
【請求項２６】
少なくとも１つのプロセッサによって実行されるとき、モーションセンサデータを使用することによって全帯域スキャンを実行するかどうかを決定するように動作する命令を備えるコンピュータプログラムを有する非一時的コンピュータ可読記憶媒体であって、前記コンピュータプログラムが、 
前記全帯域スキャンが最後に実行されてからユーザ機器（ＵＥ）が静止していたかどうかを判定するための命令と、
前記ＵＥが静止していた場合に、前記ＵＥがスキップ閾値よりも多い回数、全帯域スキャンをスキップしたかどうかを判定するための命令と、
前記ＵＥが前記スキップ閾値よりも多い回数、全帯域スキャンをスキップしていた場合に、前記ＵＥを用いて全帯域スキャンを実行するための命令と、
前記ＵＥが前記スキップ閾値よりも多い回数、全帯域スキャンをスキップしていなかった場合に、部分帯域スキャンを実行するまたはスキャンを実行しないための命令とを備える非一時的コンピュータ可読記憶媒体。
【請求項２７】
前記全帯域スキャンが最後に実行されてからユーザ機器（ＵＥ）が静止していたかどうかを判定する手段と、
前記ＵＥが静止していた場合に、前記ＵＥがスキップ閾値よりも多い回数、全帯域スキャンをスキップしたかどうかを判定する手段と、
前記ＵＥが前記スキップ閾値よりも多い回数、全帯域スキャンをスキップしていた場合に、全帯域スキャンを実行する手段と、
前記ＵＥが前記スキップ閾値よりも多い回数、全帯域スキャンをスキップしていなかった場合に、部分帯域スキャンを実行するまたはスキャンを実行しない手段とを備えるユーザ機器（ＵＥ）。
【発明の詳細な説明】
【技術分野】
【０００１】
本開示は、一般に、ワイヤレス通信システムのための装置および方法に関する。より詳細には、本開示は、モーションセンサデータを使用することによって全帯域スキャンを実行するかどうかを決定することに関する。
【背景技術】
【０００２】
ワイヤレス通信システムは、固定通信インフラから離れているか移動中であるモバイルユーザに様々な通信サービスを提供する。これらのワイヤレスシステムは、モバイルデバイスをサービスエリア内の様々な基地局と相互接続するために無線送信を用いる。また、基地局は、公衆交換電話網（ＰＳＴＮ）、インターネットなどの様々な通信ネットワーク上でモバイルデバイスとの接続を他のモバイルデバイスにルーティングするモバイル交換センタに接続される。このようにして、固定拠点から離れているか移動中であるユーザは、音声電話、ページング、メッセージング、電子メール、データ転送、映像、ウェブブラウジングなどの様々な通信サービスを受け取ることができ得る。
【０００３】
ワイヤレス相互接続のために無線周波数を使用することにより、全てのモバイルユーザは、ワイヤレス通信サービスに割り当てられた少ない無線スペクトルを共有するために共通のプロトコルセットについて同意しなければならない。１つの重要なプロトコルは、複数のモバイルデバイスをワイヤレス通信ネットワークに接続するために使用されるアクセス方法に関する。様々なアクセス方法として、周波数分割多元接続（ＦＤＭＡ）と、時分割多元接続（ＴＤＭＡ）と、符号分割多元接続（ＣＤＭＡ）と、直交周波数分割多重（ＯＦＤＭ）とが挙げられる。
【０００４】
特定のシナリオの間、ユーザ機器（ＵＥ）は、キャンプオン(camp on)するチャネルを見出すために全てのサポートされた無線アクセス技術（ＲＡＴ）上で割り当てられた周波数帯域を検索する必要がある。チャネルスキャニングに使用されるアルゴリズムによっては、全スキャンは完了するまでに数分かかる場合がある。長いスキャン継続時間に加えて、全スキャンはかなりのバッテリエネルギーを消費する場合があり、したがって、バッテリの再充電を行わなければならなくなるまでの時間を短縮する。ＵＥのバッテリ寿命を延長し、チャネルスキャン継続時間を短縮するための技法が望まれている。
【発明の概要】
【０００５】
モーションセンサデータを使用することによって全帯域スキャンを実行するかどうかを決定する装置および方法が開示される。一態様によれば、モーションセンサデータを使用することによって全帯域スキャンを実行するかどうかを決定する方法は、全帯域スキャンが最後に実行されてからユーザ機器（ＵＥ）が静止していたかどうかを判定することと、ユーザ機器（ＵＥ）がスキップ閾値よりも多い回数、全帯域スキャンをスキップしたかどうかを判定することと、ユーザ機器（ＵＥ）がスキップ閾値よりも多い回数、全帯域スキャンをスキップしていた場合に全帯域スキャンを実行する、あるいはユーザ機器（ＵＥ）がスキップ閾値よりも多い回数、全帯域スキャンをスキップしていなかった場合に部分帯域スキャンを実行するまたはスキャンを実行しないこととを備える。
【０００６】
別の態様によれば、ユーザ機器は、プロセッサとメモリとを備え、メモリは、全帯域スキャンが最後に実行されてからユーザ機器が静止していたかどうかを判定することと、ユーザ機器がスキップ閾値よりも多い回数、全帯域スキャンをスキップしたかどうかを判定することと、ユーザ機器がスキップ閾値よりも多い回数、全帯域スキャンをスキップしていた場合に全帯域スキャンを実行する、あるいはユーザ機器がスキップ閾値よりも多い回数、全帯域スキャンをスキップしていなかった場合に部分帯域スキャンを実行するまたはスキャンを実行しないこととを実行するためのプロセッサによって実行可能なプログラムコードを含む。
【０００７】
別の態様によれば、コンピュータプログラムを有するコンピュータ可読媒体は、少なくとも１つのプロセッサによって実行されるとき、モーションセンサデータを使用することによって全帯域スキャンを実行するかどうかを決定するように動作する命令を備え、コンピュータプログラムは、全帯域スキャンが最後に実行されてからユーザ機器（ＵＥ）が静止していたかどうかを判定するための命令と、ユーザ機器（ＵＥ）がスキップ閾値よりも多い回数、全帯域スキャンをスキップしたかどうかを判定するための命令と、ユーザ機器（ＵＥ）がスキップ閾値よりも多い回数、全帯域スキャンをスキップしていた場合に全帯域スキャンを実行するための命令と、ユーザ機器（ＵＥ）がスキップ閾値よりも多い回数、全帯域スキャンをスキップしていなかった場合に部分帯域スキャンを実行するまたはスキャンを実行しないための命令とを備える。
【０００８】
本開示の利点は、バッテリ寿命を延長し、チャネルスキャン継続時間を短縮することを含む。
【０００９】
他の態様は以下の詳細な説明から当業者に容易に明らかとなり、以下の詳細な説明は例示として示され、様々な態様を説明することを理解されたい。図面および詳細な説明は、本質的に例示的なものであって、限定的なものではないとみなされるべきである。
【図面の簡単な説明】
【００１０】
【図１】例示的なアクセスノード／ＵＥシステムを示すブロック図。
【図２】複数のユーザをサポートするワイヤレス通信システムの例を示す図。
【図３】アクセス階層（ＡＳ）層の上に非アクセス階層（ＮＡＳ）層を含む接続指向トランスポートセッションによるウェブサービスのための例示的なワイヤレスネットワークプロトコルスタックモデルを示す図。
【図４】手動のパブリックランドモバイルネットワーク（ＰＬＭＮ）スキャンのための例示的なフロープロセスを示す図。
【図５】高優先パブリックランドモバイルネットワーク（ＨＰＬＭＮ）スキャンのための例示的なフロープロセスを示す図。
【図６】周期的な全サービススキャンのための例示的なフロープロセスを示す図。
【図７】圏外スキャンのための例示的なフロープロセスを示す図。
【図８】モーションセンサデータを使用することによって全帯域スキャンを実行するかどうかを決定するための、メモリと通信するプロセッサを備えるデバイスの例を示す図。
【発明を実施するための形態】
【００１１】
添付の図面に関連して以下に記載される詳細な説明は、本開示の様々な態様の説明として意図され、本開示が実施され得る唯一の態様を表すことを意図されていない。本開示において説明されるそれぞれの態様は、本開示の例または例示として提供されるに過ぎず、必ずしも他の態様よりも好ましいまたは有利なものとして解釈されるべきではない。詳細な説明は、本開示の完全な理解を与えるために、特定の詳細を含む。しかし、これらの特定の詳細なしで本開示が実施され得ることは当業者に明らかとなろう。いくつかの例では、本開示の概念を曖昧にするのを回避するために、よく知られた構造およびデバイスはブロック図の形で示される。頭字語および他の説明的な用語は、単に便宜上および明確にするために使用される場合があり、本開示の範囲を限定することを意図されていない。
【００１２】
説明を簡単にするために、方法論は一連の動作として示され説明されているが、いくつかの動作は、１つまたは複数の態様に従って、本明細書に示され説明されるものとは異なる順序でおよび／または他の動作と同時に行われ得るので、方法論は動作の順序によって限定されないことを理解し認識されたい。例えば、当業者であれば、別法として、例えば状態図において、方法論を一連の相関する状態またはイベントとして表すことができることを理解し認識されよう。さらに、全ての示された動作が１つまたは複数の態様に従って方法論を実施することを必要とし得るわけではない。
【００１３】
図１は、例示的なアクセスノード／ＵＥシステム１００を示すブロック図である。当業者であれば、図１に示される例示的なアクセスノード／ＵＥシステム１００は、ＦＤＭＡ環境、ＯＦＤＭＡ環境、ＣＤＭＡ環境、ＷＣＤＭＡ環境、ＴＤＭＡ環境、ＳＤＭＡ環境または任意の他の適切なワイヤレス環境において実施され得ることが理解されよう。
【００１４】
アクセスノード／ＵＥシステム１００は、アクセスノード１０１（別名、基地局）とユーザ機器またはＵＥ２０１（別名、ワイヤレス通信デバイス）とを含む。ダウンリンク区間では、アクセスノード１０１（別名、基地局）は、トラフィックデータを受け入れ、フォーマットし、符号化し、インタリーブし、変調（またはシンボルマッピング）し、変調シンボル（別名、データシンボル）を提供する送信（ＴＸ）データプロセッサＡ  １１０を含む。ＴＸデータプロセッサＡ  １１０は、シンボル変調器Ａ  １２０と通信する。シンボル変調器Ａ  １２０は、データシンボルおよびダウンリンクパイロットシンボルを受け入れ、処理し、シンボルのストリームを提供する。一態様では、シンボル変調器Ａ  １２０は、構成情報を提供するプロセッサＡ  １８０と通信する。シンボル変調器Ａ  １２０は、送信機ユニット（ＴＭＴＲ）Ａ  １３０と通信する。シンボル変調器Ａ  １２０は、データシンボルおよびダウンリンクパイロットシンボルを多重化し、これらのシンボルを送信機ユニットＡ  １３０に提供する。
【００１５】
送信されるべきそれぞれのシンボルは、データシンボル、ダウンリンクパイロットシンボルまたはゼロの信号値であってもよい。ダウンリンクパイロットシンボルは、それぞれのシンボル期間において連続的に送られ得る。一態様では、ダウンリンクパイロットシンボルは、周波数分割多重（ＦＤＭ）されている。別の態様では、ダウンリンクパイロットシンボルは、直交周波数分割多重（ＯＦＤＭ）されている。さらに別の態様では、ダウンリンクパイロットシンボルは、符号分割多重（ＣＤＭ）されている。一態様では、送信機ユニットＡ  １３０は、シンボルのストリームを受け取り、シンボルのストリームを１つまたは複数のアナログ信号に変換し、アナログ信号をさらに調整して、例えば、アナログ信号を増幅し、フィルタリングしおよび／または周波数アップコンバートしてワイヤレス送信に適したアナログダウンリンク信号を生成する。次いで、アナログダウンリンク信号はアンテナ１４０を介して送信される。
【００１６】
ダウンリンク区間では、ＵＥ２０１は、アナログダウンリンク信号を受け取り、アナログダウンリンク信号を受信機ユニット（ＲＣＶＲ）Ｂ  ２２０に入力するためのアンテナ２１０を含む。一態様では、受信機ユニットＢ  ２２０は、アナログダウンリンク信号を調整して、例えば、アナログダウンリンク信号をフィルタリングし、増幅し、周波数ダウンコンバートして第１の「調整された」信号にする。次いで、第１の「調整された」信号がサンプリングされる。受信機ユニットＢ  ２２０は、シンボル復調器Ｂ  ２３０と通信する。シンボル復調器Ｂ  ２３０は、受信機ユニットＢ  ２２０から出力された第１の「調整された」および「サンプリングされた」信号（別名、データシンボル）を復調する。当業者であれば、代替策はシンボル復調器Ｂ  ２３０においてサンプリングプロセスを実施することであることが理解されよう。シンボル復調器Ｂ  ２３０は、プロセッサＢ  ２４０と通信する。プロセッサＢ  ２４０は、シンボル復調器Ｂ  ２３０からダウンリンクパイロットシンボルを受け取り、ダウンリンクパイロットシンボル上でチャネル推定を実行する。一態様では、チャネル推定は、現在の伝播環境を特徴付けるプロセスである。シンボル復調器Ｂ  ２３０は、プロセッサＢ  ２４０からダウンリンク区間の周波数応答推定値を受け取る。シンボル復調器Ｂ  ２３０は、データシンボル上でデータ復調を実行してダウンリンク経路上のデータシンボル推定値を取得する。ダウンリンク経路上のデータシンボル推定値は、送信されたデータシンボルの推定値である。シンボル復調器Ｂ  ２３０は、ＲＸデータプロセッサＢ  ２５０とも通信する。
【００１７】
ＲＸデータプロセッサＢ  ２５０は、シンボル復調器Ｂ  ２３０からダウンリンク経路上のデータシンボル推定値を受け取り、例えば、ダウンリンク経路上のデータシンボル推定値を復調（すなわち、シンボルデマッピング）し、インタリーブしおよび／または復号してトラフィックデータを回復する。一態様では、シンボル復調器Ｂ  ２３０およびＲＸデータプロセッサＢ  ２５０による処理は、それぞれシンボル変調器Ａ  １２０およびＴＸデータプロセッサＡ  １１０による処理と補完的である。
【００１８】
アップリンク区間では、ＵＥ２０１は、ＴＸデータプロセッサＢ  ２６０を含む。ＴＸデータプロセッサＢ  ２６０は、トラフィックデータを受け入れ、処理してデータシンボルを出力する。ＴＸデータプロセッサＢ  ２６０は、シンボル変調器Ｄ  ２７０と通信する。シンボル変調器Ｄ  ２７０は、データシンボルを受け入れ、データシンボルをアップリンクパイロットシンボルと多重し、変調を実行し、シンボルのストリームを提供する。一態様では、シンボル変調器Ｄ  ２７０は、構成情報を提供するプロセッサＢ  ２４０と通信する。シンボル変調器Ｄ  ２７０は、送信機ユニットＢ  ２８０と通信する。
【００１９】
送信されるべきそれぞれのシンボルは、データシンボル、アップリンクパイロットシンボルまたはゼロの信号値であってもよい。アップリンクパイロットシンボルは、それぞれのシンボル期間において連続的に送られ得る。一態様では、アップリンクパイロットシンボルは、周波数分割多重（ＦＤＭ）されている。別の態様では、アップリンクパイロットシンボルは、直交周波数分割多重（ＯＦＤＭ）されている。さらに別の態様では、アップリンクパイロットシンボルは、符号分割多重（ＣＤＭ）されている。一態様では、送信機ユニットＢ  ２８０は、シンボルのストリームを受け取り、シンボルのストリームを１つまたは複数のアナログ信号に変換し、アナログ信号をさらに調整して、例えば、アナログ信号を増幅し、フィルタリングしおよび／または周波数アップコンバートしてワイヤレス送信に適したアナログアップリンク信号を生成する。次いで、アナログアップリンク信号はアンテナ２１０を介して送信される。
【００２０】
ＵＥ２０１からのアナログアップリンク信号は、アンテナ１４０によって受け取られ、受信機ユニットＡ  １５０によって処理されてサンプルを取得する。一態様では、受信機ユニットＡ  １５０は、アナログアップリンク信号を調整して、例えば、アナログアップリンク信号をフィルタリングし、増幅し、周波数ダウンコンバートして第２の「調整された」信号にする。次いで、第２の「調整された」信号がサンプリングされる。受信機ユニットＡ  １５０は、シンボル復調器Ｃ  １６０と通信する。当業者であれば、代替策はシンボル復調器Ｃ  １６０においてサンプリングプロセスを実施することであることが理解されよう。シンボル復調器Ｃ  １６０は、データシンボル上でデータ復調を実行してアップリンク経路上のデータシンボル推定値を取得し、次いで、アップリンク経路上のアップリンクパイロットシンボルおよびデータシンボル推定値をＲＸデータプロセッサＡ  １７０に提供する。アップリンク経路上のデータシンボル推定値は、送信されたデータシンボルの推定値である。ＲＸデータプロセッサＡ  １７０は、アップリンク経路上のデータシンボル推定値を処理してワイヤレス通信デバイス２０１によって送信されたトラフィックデータを回復する。シンボル復調器Ｃ  １６０は、プロセッサＡ  １８０とも通信する。プロセッサＡ  １８０は、アップリンク区間上で送信するそれぞれのアクティブな端末に対するチャネル推定を実行する。一態様では、複数の端末は、パイロットサブ帯域のセットがインタレースされ得る、パイロットサブ帯域のそれぞれの割り当てられたセット上のアップリンク区間上で同時にパイロットシンボルを送信し得る。
【００２１】
プロセッサＡ  １８０およびプロセッサＢ  ２４０は、それぞれアクセスノード１０１（別名、基地局）およびＵＥ２０１での操作を指示する（すなわち、制御する、調整するまたは管理する、など）。一態様では、プロセッサＡ  １８０およびプロセッサＢ  ２４０のいずれかまたは両方は、プログラムコードおよび／またはデータの格納のための１つまたは複数のメモリユニット（図示せず）と関連付けられる。一態様では、プロセッサＡ  １８０およびプロセッサＢ  ２４０のいずれかまたは両方は、計算を実行してアップリンク区間およびダウンリンク区間それぞれに対する周波数応答推定値およびインパルス応答推定値を導出する。
【００２２】
一態様では、アクセスノード／ＵＥシステム１００は多元接続システムである。多元接続システム（例えば、ＦＤＭＡ、ＯＦＤＭＡ、ＣＤＭＡ、ＴＤＭＡ、ＳＤＭＡなど）の場合、複数の端末は、アップリンク区間上で同時に送信する。一態様では、多元接続システムの場合、パイロットサブ帯域は、異なる端末間で共有され得る。それぞれの端末に対するパイロットサブ帯域が動作帯域全体にわたる（場合によっては、帯域端部を除く）場合、チャネル推定技法が使用される。そのようなパイロットサブ帯域構造は、それぞれの端末に対する周波数ダイバーシティを取得するのに望ましい。
【００２３】
図２は、複数のユーザをサポートするワイヤレス通信システム２９０の例を示す。図２では、参照符号２９２Ａから２９２Ｇはセルを表し、参照符号２９８Ａから２９８Ｇは基地局（ＢＳ）または無線基地局（ＢＴＳ）を表し、参照符号２９６Ａから２９６Ｊはアクセスユーザ機器（ＵＥ）を表す。セルの規模は異なっていてもよい。システム２９０における送信をスケジュールするために、様々なアルゴリズムおよび方法のいずれかを使用することができ得る。システム２９０は、いくつかのセル２９２Ａから２９２Ｇのための通信を提供し、それぞれのセルは、それぞれ対応する基地局２９８Ａから２９８Ｇによってサービス提供される。進行中の呼が１つのネットワークのセルと別のネットワークのセルとの間で遷移されるとき、システム間（すなわち、無線間アクセス技術（ＩＲＡＴ）遷移）ハンドオーバが行われる。そのような遷移は、例えば、ＷＣＤＭＡ拠点とＧＳＭ（登録商標）拠点との間で行われ得る。
【００２４】
典型的なワイヤレス通信システムでは、ＵＥは、呼開始または呼受信の前に適切な無線チャネルを取得する必要がある。適切な無線チャネルが取得され追跡されるまで、様々な無線チャネルが最初に特定のワイヤレスネットワーク内でスキャンされる。適切な制御チャネルを取得し追跡するこのプロセスは「キャンピング」として知られている。特定のシナリオでは、ＵＥは全てのサポートされているＲＡＴ上で無線帯域または無線帯域のセット全体をスキャンする必要がある。ＲＡＴの例は、モバイル通信用グローバルシステム（ＧＳＭ）、ＧＳＭ進化型高速データレート（ＥＤＧＥ）、ＩＳ９５符号分割多元接続（ＣＤＭＡ）などの第２世代システムである。ＲＡＴの他の例として、ユニバーサル移動通信システム（ＵＭＴＳ）、ＣＤＭＡ２０００、エボリューション−データ最適化（ＥＶＤＯ）、ロングタームエボリューション（ＬＴＥ）などの次世代ワイヤレスシステムが挙げられる。この場合、ＵＥは全帯域スキャンを実行するためにかなりの時間およびバッテリエネルギーを必要とし得る。
【００２５】
例えば、ＵＭＴＳの１つのバージョンでは、周波数帯域の割当てはそれぞれの方向で６０ＭＨｚであり、その結果としてシステム当たり約３００個の無線チャネルをもたらす。複数のシステムの場合、ＵＥは全帯域スキャンを実行するのに数分を要する場合がある。一方、全帯域スキャンが最後に実行されてからＵＥが静止していたことをＵＥが知っている場合、ＵＥはこの知識を利用して部分帯域スキャンのみを実行することができる。
【００２６】
部分帯域スキャンは、全帯域よりも小さい範囲にわたるスキャンである。一例では、ＵＥは、特定のＲＡＴに対して部分帯域スキャンにおいて最初にスキャンされた最も頻繁に使用されるチャネルを列挙する取得データベースを含む。適切なチャネルが見出された場合、部分帯域スキャンは停止し得る。そうでない場合、ＵＥは、適切なチャネルが見出されるまで、これらのチャネルを越えて拡張する。現時点でＵＥによって検出可能な無線チャネルの大半は全帯域スキャンが最後に実行されたときも検出可能であったので、パフォーマンスが損なわれることはない。この知識は、バッテリの待機時間を改善する（すなわち、バッテリの再充電までの期間を最大化する）。加えて、部分帯域スキャンのみが実行されるので、ＵＥはより迅速に検索を完了することができ、このことはＵＥユーザにとって有利である。
【００２７】
一態様では、ＵＥは、特定のＲＡＴ上で全帯域スキャンが最後に実行された時間を監視し、最後の全帯域スキャン以降のモーションセンサも監視する。モーションセンサの例として、赤外線（ＩＲ）センサ、超音波センサ、マイクロ波センサ、加速度計などが挙げられる。ＵＥはまた、データベース内の最後の全帯域スキャンの結果をキャプチャして、必要であれば次の検索トリガで迅速な部分帯域スキャンを容易にする。特定のシナリオでは、例えば、時として新しい無線チャネルがＲＡＴに導入されたときに全ての無線チャネルの検出を行うために、ＵＥが静止していると判定された場合でも、ＵＥは依然として全帯域スキャンを実行する。一例では、カウンタを使用して全帯域スキャンがスキップされた回数を追跡する。カウンタはカウンタ閾値と比較され、その比較を使用して全帯域スキャンを実行するかどうかを決定する。当業者であれば、本開示の範囲および趣旨に影響を与えることなく、用途、バッテリ寿命の基準、動作条件、設計上の制約、ユーザの選択などの多くの要素に基づいてカウンタ閾値を設定することができることを理解されよう。
【００２８】
一例では、モーションセンサによってＵＥが静止していると判定された場合、カウンタ閾値は、３０分相当に設定され得る。より一般的には、カウンタ閾値はプログラム可能であり、オペレータの選択によって設定される。一例では、全帯域スキャンは６分毎に実行されてもよく、これは３０分の期間で合計５回のスキャンを意味する。この場合、ＵＥが静止していると判定された場合、システムは５回の全帯域スキャンをスキップすることができる。
【００２９】
別の例では、モーションセンサによってＵＥが移動していると判定された場合、カウンタ閾値は、カウンタ静止閾値として知られる、静止のケースで使用された値よりも少ない値に設定される。一例では、カウンタ閾値は、カウンタ静止閾値にＵＥ速度に反比例する１よりも小さい係数を乗じることによって設定され得る。
【００３０】
一態様では、特定のイベントがトリガされたときまたは特定のシナリオにおいてＵＥによって帯域スキャンが実行される４つの状況、すなわち、（１）手動のパブリックランドモバイルネットワーク（ＰＬＭＮ）スキャンと、（２）高優先パブリックランドモバイルネットワーク（ＰＬＭＮ）スキャンと、（３）周期的な全サービススキャンと、（４）圏外スキャンとが存在する。
【００３１】
一態様では、コアネットワーク（ＣＮ）とアクセスネットワーク（ＡＮ）とを備えるワイヤレスネットワークは、ネットワークプロトコルスタックを使用してモデル化され得る。図３は、アクセス階層（ＡＳ）層の上に非アクセス階層（ＮＡＳ）層を含む接続指向トランスポートセッションによるウェブサービスのための例示的なワイヤレスネットワークプロトコルスタックモデルを示す。ワイヤレスネットワークプロトコルスタックは、７つの層、すなわち、アプリケーション層と、トランスポート層と、インターネット層と、ネットワーク層と、リンク層と、物理層とを含む。ＮＡＳは、コアネットワーク（ＣＮ）とユーザ機器（ＵＥ）との間のモビリティ管理、接続管理、セッション管理などのネットワークサービスを提供するネットワーク層である。ＡＳは、無線リソース制御、無線リンク制御、媒体アクセス制御、物理層サービスなどのＮＡＳのための低レベルサービスを提供するリンク層である。
【００３２】
手動のＰＬＭＮスキャンでは、ユーザは適切なワイヤレスネットワークを見出すためにスキャンを選択する。図４は、手動のＰＬＭＮスキャンのための例示的なフロープロセスを示す。ブロック４１０で、手動のＰＬＭＮスキャンをトリガする。一例では、ユーザがスキャンをトリガする。ブロック４１０に続いて、ブロック４２０で、利用可能なＰＬＭＮのリストを提供する。一例では、非アクセス階層（ＮＡＳ）層が利用可能なＰＬＭＮのリストを提供する。ブロック４３０で、利用可能なＰＬＭＮのリストを受け入れる。一例では、利用可能なＰＬＭＮのリストはアクセス階層（ＡＳ）層によって受け入れられる。ブロック４３０に続いて、ブロック４４０で、最後の帯域スキャン以降、ＵＥが静止していたかどうかを判定する。一態様では、最後の帯域スキャンは全帯域スキャンである。一例では、モーションセンサを用いてＵＥの移動を監視する。当業者であれば、本開示の範囲および趣旨に影響を与えることなく、赤外線（ＩＲ）センサ、超音波センサ、マイクロ波センサ、加速度計などを含むがこれらに限定されない、多くのタイプのモーションセンサが使用され得ることを理解されよう。
【００３３】
ブロック４４０で、最後の帯域スキャン以降、ＵＥが静止していなかったと判定された場合、ブロック４５０に進んで全帯域スキャンを実行する。一態様では、全帯域スキャンに続いて、利用可能なＰＬＭＮを非アクセス階層（ＮＡＳ）層に報告する。ブロック４４０で、最後の帯域スキャン以降、ＵＥが静止していたと判定された場合、ブロック４６０に進む。ブロック４６０で、ＵＥがスキップ閾値Ｎよりも多い回数、全帯域スキャンをスキップしたかどうかを判定する。当業者であれば、例えばユーザ機器のオペレータによって、スキップ閾値Ｎを任意の所定の値に設定することができることを理解されよう。また、当業者であれば、本開示の範囲または趣旨に影響を与えることなく、スキップ閾値Ｎの値が以下の要素、特定の用途、動作上の制約、設計またはユーザの選択などのうちの１つまたは複数に依存し得ることを理解されよう。
【００３４】
はい、すなわち、ＵＥがスキップ閾値Ｎよりも多い回数、全帯域スキャンをスキップしていた場合、ブロック４５０に進んで全帯域スキャンを実行する。いいえ、すなわち、ＵＥがスキップ閾値Ｎよりも多い回数、全帯域スキャンをスキップしていなかった場合、ブロック４７０に進む。ブロック４７０で、スキャンを実行しない、あるいは部分帯域スキャンを実行する。スキャンを実行しないか、部分帯域スキャンを実行するかの選択は、異なる要素に基づいてもよい。一例では、少なくとも１つの取得データベースエントリが存在する場合、部分帯域スキャンが実行される。一方、取得データベースエントリが存在しない場合、スキャンが実行されない。別の例では、ＵＥが最後のスキャンにおいて少なくとも１つのＰＬＭＮを見出した場合、ＵＥは部分スキャンを選択する。１つの他の例では、バッテリ寿命またはプリセットプロトコルがスキャンなしか、部分帯域スキャンを実行するかの選択を指示する。当業者であれば、本開示の範囲または趣旨に影響を与えることなく、本明細書に示される例は排他的なものではなく、他の要素がスキャンを実行しないか、部分帯域スキャンを実行するかの選択に影響を与え得ることを理解されよう。
【００３５】
一態様では、ブロック４７０に続いて、非アクセス階層（ＮＡＳ）層に最後の全帯域スキャンからのＰＬＭＮを報告する、あるいは部分帯域スキャンにおいて見出された利用可能なＰＬＭＮを報告する。
【００３６】
高優先ＰＬＭＮスキャンのシナリオでは、ＵＥはそのホームネットワークの外側にあり、例えばローミングシナリオでは、ＵＥは別のネットワーク（例えば、ビジターＰＬＭＮ）に接続されている。このネットワークでは、ＵＥはこのネットワークに属する他のユーザよりも低い優先度を与えられる。一態様では、ＵＥは、ＵＥが高優先サービスを受ける利用可能なホームネットワークを求めてスキャンする。一例では、ＵＥは６分毎にスキャンする。
【００３７】
図５は、高優先ＰＬＭＮスキャンのための例示的なフロープロセスを示す。ブロック５１０で、ＵＥがビジターＰＬＭＮにキャンプオンされているかどうかを判定する。ＵＥがビジターＰＬＭＮにキャンプオンされていない場合、監視を継続する。ブロック５１０に続いて、ブロック５２０で、ＵＥがビジターＰＬＭＮにキャンプオンされている場合、高優先ＰＬＭＮ（ＨＰＬＭＮ）タイマが満了しているかどうかを判定する。一例では、ＵＥが最初にビジターＰＬＭＮにキャンプオンしたときにＨＰＬＭＮタイマが設定される。ＨＰＬＭＮタイマの継続時間をプリセットすることができる。当業者であれば、本開示の範囲および趣旨に影響を与えることなく、特定の用途、動作上の制約、設計またはユーザの選択などの、ただしこれらに限定されない様々な要素に従ってＨＰＬＭＮタイマの継続時間をプリセットすることができることを理解されよう。ＨＰＬＭＮタイマが満了している場合、監視を継続する。ブロック５３０で、ＨＰＬＭＮタイマが満了している場合、高優先ＰＬＭＮ（ＨＰＬＭＮ）のリストを提供する。一例では、非アクセス階層（ＮＡＳ）層が高優先ＰＬＭＮ（ＨＰＬＭＮ）のリストを提供する。ブロック５４０で、高優先ＰＬＭＮ（ＨＰＬＭＮ）のリストを受け入れる。一例では、高優先ＰＬＭＮ（ＨＰＬＭＮ）のリストはアクセス階層（ＡＳ）層によって受け入れられる。
【００３８】
ブロック５４０に続いて、ブロック５５０で、最後の帯域スキャン以降、ＵＥが静止していたかどうかを判定する。一態様では、最後の帯域スキャンは全帯域スキャンである。一例では、モーションセンサを用いてＵＥの移動を監視する。当業者であれば、本開示の範囲および趣旨に影響を与えることなく、赤外線（ＩＲ）センサ、超音波センサ、マイクロ波センサ、加速度計などを含むがこれらに限定されない、多くのタイプのモーションセンサが使用され得ることを理解されよう。ブロック５５０で、最後の帯域スキャン以降、ＵＥが静止していなかったと判定された場合、ブロック５６０に進んで全帯域スキャンを実行する。一態様では、全帯域スキャンに続いて、見出された高優先ＰＬＭＮ（ＨＰＬＭＮ）を非アクセス階層（ＮＡＳ）層に報告する。
【００３９】
ブロック５５０で、最後の帯域スキャン以降、ＵＥが静止していたと判定された場合、ブロック５７０に進む。ブロック５７０で、ＵＥがスキップ閾値Ｎよりも多い回数、全帯域スキャンをスキップしたかどうかを判定する。はい、すなわち、ＵＥがスキップ閾値Ｎよりも多い回数、全帯域スキャンをスキップしていた場合、ブロック５６０に進んで全帯域スキャンを実行する。いいえ、すなわち、ＵＥがスキップ閾値Ｎよりも多い回数、全帯域スキャンをスキップしていなかった場合、ブロック５８０に進む。ブロック５８０で、スキャンを実行しない、あるいは部分帯域スキャンを実行する。一態様では、ブロック５８０に続いて、非アクセス階層（ＮＡＳ）層に高優先ＰＬＭＮ（ＨＰＬＭＮ）が見出されなかったことを報告する、あるいは見出されたＨＰＬＭＮを報告する。
【００４０】
周期的な全サービス検索スキャンでは、ＵＥはそのホームネットワークの外側にあるが、別のネットワークによる緊急サービスが与えられる。この場合、ＵＥは、ＵＥが使用することができる全サービスネットワークを求めて周期的にスキャンする。図６は、周期的な全サービススキャンのための例示的なフロープロセスを示す。ブロック６１０で、ＵＥがＵＥに対する限定された（例えば、緊急）サービスを有するセルにキャンプオンされているかどうかを判定する。ＵＥが限定された（例えば、緊急）サービスを有するセルにキャンプオンされていない場合、監視を継続する。ブロック６１０に続いて、ブロック６２０で、ＵＥが限定された（例えば、緊急）サービスを有するセルにキャンプオンされている場合、全サービスタイマが満了しているかどうかを判定する。一例では、ＵＥが最初にセルにキャンプオンしたときに全サービスタイマが設定される。全サービスタイマの継続時間をプリセットすることができる。当業者であれば、本開示の範囲および趣旨に影響を与えることなく、特定の用途、動作上の制約、設計またはユーザの選択などの、ただしこれらに限定されない様々な要素に従って全サービスタイマの継続時間をプリセットすることができることを理解されよう。全サービスタイマが満了している場合、監視を継続する。
【００４１】
ブロック６３０で、全サービスタイマが満了している場合、全サービスを要求する。一態様では、要求は非アクセス階層（ＮＡＳ）層によって行われる。一例では、要求は登録されたＰＬＭＮ（ＲＰＬＭＮ）、高優先ＰＬＭＮ（ＨＰＬＭＮ）または好ましいＰＬＭＮのうちの１つでの全サービスに対するものである。ブロック６３０に続いて、ブロック６４０で、全サービスの要求を受け取る。一例では、アクセス階層（ＡＳ）層が要求を受け取る。
【００４２】
ブロック６４０に続いて、ブロック６５０で、最後の帯域スキャン以降、ＵＥが静止していたかどうかを判定する。一態様では、最後の帯域スキャンは全帯域スキャンである。一例では、モーションセンサを用いてＵＥの移動を監視する。当業者であれば、本開示の範囲および趣旨に影響を与えることなく、赤外線（ＩＲ）センサ、超音波センサ、マイクロ波センサ、加速度計などを含むがこれらに限定されない、多くのタイプのモーションセンサが使用され得ることを理解されよう。ブロック６５０で、最後の帯域スキャン以降、ＵＥが静止していなかったと判定された場合、ブロック６６０に進んで全帯域スキャンを実行し、全サービスを提供するＰＬＭＮにキャンプオンする。一態様では、また、全サービスを提供するＰＬＭＮを非アクセス階層（ＮＡＳ）層に報告する。ブロック６５０で、最後の帯域スキャン以降、ＵＥが静止していたと判定された場合、ブロック６７０に進む。ブロック６７０で、ＵＥがスキップ閾値Ｎよりも多い回数、全帯域スキャンをスキップしたかどうかを判定する。はい、すなわち、ＵＥがスキップ閾値Ｎよりも多い回数、全帯域スキャンをスキップしていた場合、ブロック６６０に進む。
【００４３】
いいえ、すなわち、ＵＥがスキップ閾値Ｎよりも多い回数、全帯域スキャンをスキップしていなかった場合、ブロック６８０に進む。ブロック６８０で、スキャンを実行せずに限定されたサービスを有するセルにキャンプオンし続ける、あるいは部分帯域スキャンを実行する。一態様では、ブロック６８０に続いて、非アクセス階層（ＮＡＳ）層にＰＬＭＮが見出されなかったことを報告する、あるいは見出された全サービスを提供するＰＬＭＮを報告する。
【００４４】
図７は、圏外スキャンのための例示的なフロープロセスを示す。ブロック７１０で、ＵＥが圏外かどうかを判定する。ＵＥが圏外でない場合、監視を継続する。ブロック７２０で、ＵＥが圏外である場合、サービスを要求する。一態様では、要求は全サービスに対するものである。別の態様では、要求は限定された（例えば、緊急）サービスに対するものである。一例では、要求は非アクセス階層（ＮＡＳ）層によって行われる。ブロック７３０で、サービスの要求を受け取る。一例では、アクセス階層（ＡＳ）層が要求を受け取る。
【００４５】
ブロック７４０で、最後の帯域スキャン以降、ＵＥが静止していたかどうかを判定する。一態様では、最後の帯域スキャンは全帯域スキャンである。一例では、モーションセンサを用いてＵＥの移動を監視する。当業者であれば、本開示の範囲および趣旨に影響を与えることなく、赤外線（ＩＲ）センサ、超音波センサ、マイクロ波センサ、加速度計などを含むがこれらに限定されない、多くのタイプのモーションセンサが使用され得ることを理解されよう。ブロック７４０で、最後の帯域スキャン以降、ＵＥが静止していなかったと判定された場合、ブロック７５０に進んで全帯域スキャンを実行する。全帯域スキャンでは、ＵＥは、ＵＥに全サービスを提供することができるＰＬＭＮを検索している。一態様では、また、非アクセス階層（ＮＡＳ）層にサービスがないことを報告する、あるいは任意のサービスの存在を報告する。
【００４６】
ブロック７４０で、最後の帯域スキャン以降、ＵＥが静止していたと判定された場合、ブロック７６０に進む。ブロック７６０で、ＵＥがスキップ閾値Ｎよりも多い回数、全帯域スキャンをスキップしたかどうかを判定する。はい、すなわち、ＵＥがスキップ閾値Ｎよりも多い回数、全帯域スキャンをスキップしていた場合、ブロック７５０に進む。いいえ、すなわち、ＵＥがスキップ閾値Ｎよりも多い回数、全帯域スキャンをスキップしていなかった場合、ブロック７７０に進む。ブロック７７０で、スキャンを実行しない、あるいは部分帯域スキャンを実行する。一態様では、ブロック７７０に続いて、非アクセス階層（ＮＡＳ）層にサービスがないことを報告する、あるいは任意のサービスの存在を報告する。
【００４７】
当業者であれば、本明細書に開示された例に関連して記載された様々な例示的な構成要素、論理ブロック、モジュール、および／またはアルゴリズムのステップが電子ハードウェア、ファームウェア、コンピュータソフトウェア、またはこれらの組合せとして実施され得ることをさらに認識されよう。ハードウェア、ファームウェアおよびソフトウェアのこの交換可能性を明確に示すために、様々な例示的な構成要素、ブロック、モジュールおよび／またはアルゴリズムのステップを一般的にその機能に関して上述してきた。そのような機能がハードウェア、ファームウェアまたはソフトウェアとして実施されるかどうかは、システム全体に課される特定の用途および設計上の制約に依存する。当業者はそれぞれの特定の用途について様々な方法で記載された機能を実施することができ得るが、そのような実施の決定は本開示の範囲または趣旨からの逸脱をもたらすものとして解釈されるべきではない。
【００４８】
例えば、ハードウェア実施の場合、処理ユニットは１つまたは複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、プロセッサ、コントローラ、マイクロコントローラ、マイクロプロセッサ、本明細書に記載される機能を実行するように設計された他の電子ユニット、またはこれらの組合せにおいて実施され得る。ソフトウェアの場合、実施は本明細書に記載される機能を実行するモジュール（例えば、手順、機能など）を介してであってもよい。ソフトウェアコードは、メモリユニット内に格納され、プロセッサユニットによって実行され得る。加えて、本明細書に記載される様々な例示的なフロー図、論理ブロック、モジュールおよび／またはアルゴリズムのステップはまた、当技術分野において知られている任意のコンピュータ可読媒体上で実行される、あるいは当技術分野において知られている任意のコンピュータプログラム製品において実施されるコンピュータ可読命令として符号化され得る。
【００４９】
１つまたは複数の例では、本明細書に記載されるステップまたは機能は、ハードウェア、ソフトウェア、ファームウェアまたはこれらの任意の組合せにおいて実施され得る。ソフトウェアで実施される場合、機能はコンピュータ可読媒体上で格納される、あるいはコンピュータ可読媒体上で１つまたは複数の命令またはコードとして送信され得る。コンピュータ可読媒体は、コンピュータ記憶媒体と、１つの場所から別の場所へのコンピュータプログラムの移動を容易にする任意の媒体を含む通信媒体の両方を含む。記憶媒体は、コンピュータによってアクセスすることができる任意の利用可能な媒体であってもよい。例として、限定されることなく、そのようなコンピュータ可読媒体は、ＲＡＭ、ＲＯＭ、ＥＥＰＲＯＭ、ＣＤ−ＲＯＭまたは他の光学ディスク記憶デバイス、磁気ディスク記憶デバイスもしくは他の磁気記憶デバイス、または命令もしくはデータ構造の形で所望のプログラムコードを搬送するか格納するために使用することができ、コンピュータによってアクセスすることができる任意の他の媒体を備えることができる。また、任意の接続は厳密にコンピュータ可読媒体と呼ばれる。例えば、ソフトウェアが同軸ケーブル、光ファイバケーブル、より対線、デジタル加入者線（ＤＳＬ）、または赤外線、無線、およびマイクロ波などのワイヤレス技術を使用してウェブサイト、サーバ、または他のリモートソースから送信される場合、同軸ケーブル、光ファイバケーブル、より対線、ＤＳＬ、または赤外線、無線、およびマイクロ波などのワイヤレス技術は、媒体の定義に含まれる。本明細書で使用されるディスク（diskおよびdisc）は、コンパクトディスク（ＣＤ）と、レーザディスクと、光ディスクと、デジタル多用途ディスク（ＤＶＤ）と、フロッピー（登録商標）ディスクと、ブルーレイ（登録商標）ディスクとを含み、ディスク（disk）は通常データを磁気的に再生するが、ディスク（disc）はレーザを用いてデータを光学的に再生する。上記の組合せはまた、コンピュータ可読媒体の範囲内に含まれるべきである。
【００５０】
一例では、本明細書に記載される例示的な構成要素、フロー図、論理ブロック、モジュールおよび／またはアルゴリズムのステップは、１つまたは複数のプロセッサを用いて実施される、あるいは実行される。一態様では、プロセッサは、本明細書に記載される様々なフロー図、論理ブロックおよび／またはモジュールを実施する、あるいは実行するためにプロセッサによって実行されるべきデータ、メタデータ、プログラム命令などを格納するメモリと結合される。図８は、モーションセンサデータを使用することによって全帯域スキャンを実行するかどうかを決定するための、メモリ８２０と通信するプロセッサ８１０を備えるデバイス８００の例を示す。一例では、デバイス８００を使用して図３から図７に示されるアルゴリズムの１つまたは複数を実施する。一態様では、メモリ８２０はプロセッサ８１０内に配置される。別の態様では、メモリ８２０はプロセッサ８１０の外部にある。一態様では、プロセッサは、本明細書に記載される様々なフロー図、論理ブロックおよび／またはモジュールを実施する、あるいは実行するための回路を含む。一態様では、プロセッサ８１０は、図３から図７に記載されるようにモーションセンサデータを使用することによって全帯域スキャンを実行するかどうかを決定するための異なる態様を提供するように構成された１つまたは複数のモジュールを備え、それぞれのモジュールは、ハードウェア、ファームウェア、ソフトウェア、またはこれらの任意の組合せを備える。このようにして、それぞれのモジュールは、それぞれ図３から図７のブロックのそれぞれに記載された機能を実行するための手段を表す。
【００５１】
開示された態様の先の説明は、当業者が本開示を成す、あるいは使用することができるように提供される。これらの態様に対する様々な修正形態は当業者に容易に明らかとなり、本明細書に定義された一般的な原理は、本開示の趣旨または範囲から逸脱することなく他の態様に適用され得る。
以下に、本願出願の当初の特許請求の範囲に記載された発明を付記する。
［Ｃ１］
モーションセンサデータを使用することによって全帯域スキャンを実行するかどうかを決定する方法であって、
前記全帯域スキャンが最後に実行されてからユーザ機器（ＵＥ）が静止していたかどうかを判定することと、
前記ユーザ機器（ＵＥ）がスキップ閾値よりも多い回数、全帯域スキャンをスキップしたかどうかを判定することと、
前記ユーザ機器（ＵＥ）が前記スキップ閾値よりも多い回数、全帯域スキャンをスキップしていた場合に全帯域スキャンを実行する、あるいは前記ユーザ機器（ＵＥ）が前記スキップ閾値よりも多い回数、全帯域スキャンをスキップしていなかった場合に部分帯域スキャンを実行するまたはスキャンを実行しないことと
を備える方法。
［Ｃ２］
前記部分帯域スキャンが前記ユーザ機器（ＵＥ）によって最も頻繁に使用されるチャネルのみにわたるスキャンである、Ｃ１に記載の方法。
［Ｃ３］
前記全帯域スキャンまたは前記部分帯域スキャンのいずれかの間に見出された少なくとも１つの利用可能なパブリックランドモバイルネットワーク（ＰＬＭＮ）を非アクセス階層（ＮＡＳ）層に報告することをさらに備える、Ｃ１に記載の方法。
［Ｃ４］
前記少なくとも１つのパブリックランドモバイルネットワーク（ＰＬＭＮ）が高優先パブリックランドモバイルネットワーク（ＨＰＬＭＮ）である、Ｃ３に記載の方法。
［Ｃ５］
前記ユーザ機器がビジターパブリックランドモバイルネットワーク（ビジターＰＬＭＮ）にキャンプオンされているかどうかを判定することをさらに備える、Ｃ４に記載の方法。
［Ｃ６］
高優先パブリックランドモバイルネットワークタイマ（ＨＰＬＭＮタイマ）が満了しているかどうかを判定することをさらに備える、Ｃ５に記載の方法。
［Ｃ７］
前記ユーザ機器に全サービスを提供するパブリックランドモバイルネットワーク（ＰＬＭＮ）にキャンプオンすることをさらに備える、Ｃ１に記載の方法。
［Ｃ８］
全サービスを提供する前記パブリックランドモバイルネットワーク（ＰＬＭＮ）を非アクセス階層（ＮＡＳ）層に報告することをさらに備える、Ｃ７に記載の方法。
［Ｃ９］
限定されたサービスを有するセルにキャンプオンし続けることをさらに備える、Ｃ１に記載の方法。
［Ｃ１０］
全サービスを有するパブリックランドモバイルネットワーク（ＰＬＭＮ）が見出されなかったことを非アクセス階層（ＮＡＳ）層に報告することをさらに備える、Ｃ９に記載の方法。
［Ｃ１１］
全サービスを有する少なくとも１つのパブリックランドモバイルネットワーク（ＰＬＭＮ）が見出されたことを非アクセス階層（ＮＡＳ）層に報告することをさらに備える、Ｃ１に記載の方法。
［Ｃ１２］
前記ユーザ機器（ＵＥ）が前記ユーザ機器（ＵＥ）に対する限定されたサービスを有するセルにキャンプオンされているかどうかを判定することをさらに備える、Ｃ１に記載の方法。
［Ｃ１３］
全サービスタイマが満了しているかどうかを判定することをさらに備える、Ｃ１２に記載の方法。
［Ｃ１４］
サービスが見出されなかったことを報告することをさらに備える、Ｃ１に記載の方法。
［Ｃ１５］
前記報告することが非アクセス階層（ＮＡＳ）層に対するものである、Ｃ１４に記載の方法。
［Ｃ１６］
前記ユーザ機器（ＵＥ）が圏外であるかどうかを判定することをさらに備える、Ｃ１５に記載の方法。
［Ｃ１７］
プロセッサとメモリとを備えるユーザ機器であって、前記メモリが、
全帯域スキャンが最後に実行されてから前記ユーザ機器（ＵＥ）が静止していたかどうかを判定することと、
前記ユーザ機器がスキップ閾値よりも多い回数、全帯域スキャンをスキップしたかどうかを判定することと、
前記ユーザ機器が前記スキップ閾値よりも多い回数、全帯域スキャンをスキップしていた場合に全帯域スキャンを実行する、あるいは前記ユーザ機器が前記スキップ閾値よりも多い回数、全帯域スキャンをスキップしていなかった場合に部分帯域スキャンを実行するまたはスキャンを実行しないことと
を実行するために前記プロセッサによって実行可能なプログラムコードを含む、ユーザ機器。
［Ｃ１８］
前記メモリが、前記全帯域スキャンまたは前記部分帯域スキャンのいずれかの間に少なくとも１つの利用可能なパブリックランドモバイルネットワーク（ＰＬＭＮ）が見出されたことを非アクセス階層（ＮＡＳ）層に報告するためのプログラムコードをさらに備える、Ｃ１７に記載のユーザ機器。
［Ｃ１９］
前記メモリが、全サービスを前記ユーザ機器に提供するパブリックランドモバイルネットワーク（ＰＬＭＮ）にキャンプオンするためのプログラムコードをさらに備える、Ｃ１７に記載のユーザ機器。
［Ｃ２０］
前記メモリが、全サービスを提供する前記パブリックランドモバイルネットワーク（ＰＬＭＮ）を非アクセス階層（ＮＡＳ）層に報告するためのプログラムコードをさらに備える、Ｃ１９に記載のユーザ機器。
［Ｃ２１］
前記メモリが、限定されたサービスを有するセルにキャンプオンし続けるためのプログラムコードをさらに備える、Ｃ１７に記載のユーザ機器。
［Ｃ２２］
前記メモリが、全サービスを有するパブリックランドモバイルネットワーク（ＰＬＭＮ）が見出されなかったことを非アクセス階層（ＮＡＳ）層に報告するためのプログラムコードをさらに備える、Ｃ２１に記載のユーザ機器。
［Ｃ２３］
前記メモリが、前記ユーザ機器がビジターパブリックランドモバイルネットワーク（ビジターＰＬＭＮ）にキャンプオンされているかどうかを判定するためのプログラムコードをさらに備える、Ｃ１７に記載のユーザ機器。
［Ｃ２４］
前記メモリが、前記ユーザ機器（ＵＥ）が前記ユーザ機器（ＵＥ）に対する限定されたサービスを有するセルにキャンプオンされているかどうかを判定するためのプログラムコードをさらに備える、Ｃ１７に記載のユーザ機器。
［Ｃ２５］
前記メモリが、前記ユーザ機器（ＵＥ）が圏外であるかどうかを判定するためのプログラムコードをさらに備える、Ｃ１７に記載のユーザ機器。
［Ｃ２６］
少なくとも１つのプロセッサによって実行されるとき、モーションセンサデータを使用することによって全帯域スキャンを実行するかどうかを決定するように動作する命令を備えるコンピュータプログラムを有するコンピュータ可読媒体であって、前記コンピュータプログラムが、
前記全帯域スキャンが最後に実行されてからユーザ機器（ＵＥ）が静止していたかどうかを判定するための命令と、
前記ユーザ機器（ＵＥ）がスキップ閾値よりも多い回数、全帯域スキャンをスキップしたかどうかを判定するための命令と、
前記ユーザ機器（ＵＥ）が前記スキップ閾値よりも多い回数、全帯域スキャンをスキップしていた場合に全帯域スキャンを実行するための命令と、
前記ユーザ機器（ＵＥ）が前記スキップ閾値よりも多い回数、全帯域スキャンをスキップしていなかった場合に部分帯域スキャンを実行するまたはスキャンを実行しないための命令と
を備えるコンピュータ可読媒体。
【図１】
0005405657.tif 000002
【図２】
0005405657.tif 000003
【図３】
0005405657.tif 000004
【図４】
0005405657.tif 000005
【図５】
0005405657.tif 000006
【図６】
0005405657.tif 000007
【図７】
0005405657.tif 000008
【図８】
0005405657.tif 000009